(57)【要約】【課題】点検項目の実施漏れを確実に防止し、エレベーターの品質を保つことのできるエレベーター点検項目実施漏れ防止装置を得る。【解決手段】エレベーター２に対する複数の点検項目を記憶する点検項目記憶部２１と、各点検項目に対する各点検結果を入力する専用端末３と、各点検結果を記憶する点検結果記憶部２３と、各点検項目と各点検結果とを比較して、点検結果が入力されていない点検項目が存在する場合に実施漏れ有りと判定する実施漏れ判定部２２と、実施漏れ有りと判定された場合にエレベーター２の運転動作を禁止するエレベーター制御手段２４とを備えた。【選択図】        図１
2004299902.tif 000002
【特許請求の範囲】
【請求項１】
エレベーターに対する複数の点検項目を記憶する点検項目記憶手段と、
前記各点検項目に対する各点検結果を入力する点検結果入力手段と、
前記各点検結果を記憶する点検結果記憶手段と、
前記各点検項目と前記各点検結果とを比較して、点検結果が入力されていない点検項目が存在する場合に実施漏れ有りと判定する実施漏れ判定手段と、
前記実施漏れ有りと判定された場合に前記エレベーターの運転動作を禁止するエレベーター制御手段と
を備えたことを特徴とするエレベーター点検項目実施漏れ防止装置。
【請求項２】
前記エレベーターの点検作業を行う作業者の管理番号および携帯電話情報を記憶する作業者情報記憶手段と、
前記作業者情報記憶手段と前記作業者が所持する携帯電話との間で通信を行う電話通信手段とを備え、
前記作業者情報記憶手段は、前記実施漏れ判定手段で実施漏れがあると判定された場合に、前記作業者の管理番号を前記電話通信手段に通知し、
前記電話通信手段は、前記管理番号に対応する携帯電話情報の携帯電話に警告通信を行うことを特徴とする請求項１に記載のエレベーター点検項目実施漏れ防止装置。
【請求項３】
複数台のエレベーターに関する点検管理項目および結果管理項目を管理する点検管理手段と、
前記エレベーター制御手段と前記点検管理手段との間で通信を行う点検項目通信手段とを備え、
前記エレベーター制御手段は、前記実施漏れ判定手段により実施漏れ無しと判定された場合に、前記点検項目通信手段を介して前記点検項目記憶手段内の点検項目および前記点検結果記憶手段内の点検結果を出力し、
前記点検管理手段は、前記点検項目通信手段を介して入力された前記点検項目と前記点検管理項目とを比較して、前記点検管理項目に対応する点検結果を前記結果管理項目に格納することを特徴とする請求項１または請求項２に記載のエレベーター点検項目実施漏れ防止装置。
【請求項４】
前記点検管理手段は、所定形式で作業報告書を作成する報告書作成手段を有し、
前記エレベーター制御手段は、前記実施漏れ判定手段により実施漏れ無しと判定された場合に、前記点検項目記憶手段内の点検項目および前記点検結果記憶手段内の点検結果を前記点検項目通信手段を介して前記点検管理手段に入力し、
前記報告書作成手段は、前記点検項目および前記点検結果に基づいて前記作業報告書を作成することを特徴とする請求項３に記載のエレベーター点検項目実施漏れ防止装置。
【発明の詳細な説明】
【０００１】
【発明の属する技術分野】
この発明は、エレベーターの点検作業において、計画された点検項目の実施漏れを防止するエレベーター点検項目実施漏れ防止装置に関するものである。
【０００２】
【従来の技術】
ビルに設置されるエレベーターに対しては、あらかじめ設定された点検箇所について定期的に保全作業を行って、事前に異常を検出することによって安定して動作するように保守がされている。このエレベーターの点検作業では、エレベーターの設置環境や用途などにより毎月実施すべき作業が異なる。作業者は毎月、号機毎に計画された点検項目から当月の点検項目を専用端末に格納し、点検項目に従って作業が行われる。各作業場所では専用端末に点検結果を入力しながら作業が進められる。従来のエレベーター点検項目実施漏れ防止装置は、点検終了ボタンが押されると、当月の点検項目と点検結果とを比較し、実施漏れがあるか否かの判定結果を専用端末に表示させる。この表示を見て作業者は実施漏れの有無を確認することができる（例えば、特許文献１参照）。
【０００３】
【特許文献１】
特開平６−１６２３７９号公報（第５頁、第１図）
【０００４】
【発明が解決しようとする課題】
従来のエレベーター点検項目実施漏れ防止装置は以上のように、実施漏れがあった場合には、専用端末に表示させることによって実施漏れを防止していた。しかし、実施漏れの表示を見落としたりすると、結局実施漏れが発見されるのは、点検作業が終了して事務所に戻ってからとなり、実施漏れの点検項目は次回訪問時に併せて実施されることとなる。したがって、本来当月に実施されるべき点検項目が次回まで保留されることになり、本来保たれるべきエレベーターの品質の低下を招く恐れがあるという問題点があった。
【０００５】
この発明は上記のような問題点を解決するためになされたもので、点検項目の実施漏れを確実に防止し、エレベーターの品質を保つことのできるエレベーター点検項目実施漏れ防止装置を得ることを目的とする。
【０００６】
【課題を解決するための手段】
この発明に係るエレベーター点検項目実施漏れ防止装置は、エレベーターに対する複数の点検項目を記憶する点検項目記憶手段と、各点検項目に対する各点検結果を入力する点検結果入力手段と、各点検結果を記憶する点検結果記憶手段と、各点検項目と各点検結果とを比較して、点検結果が入力されていない点検項目が存在する場合に実施漏れ有りと判定する実施漏れ判定手段と、実施漏れ有りと判定された場合にエレベーターの運転動作を禁止するエレベーター制御手段とを備えたものである。
【０００７】
【発明の実施の形態】
実施の形態１．
以下、図面を参照しながら、この発明の実施の形態１について詳細に説明する。図１は、この発明の実施の形態１のエレベーター点検項目実施漏れ防止装置を示すブロック構成図である。
図１において、各地に設置されたエレベーターを一元管理する管理センター１と各地のエレベーター２とが公衆回線によって接続されている。
作業者（ＦＥ：Ｆｉｅｌｄ  Ｅｎｇｉｎｅｅｒ）は専用端末（点検結果入力手段）３を持って、担当するエレベーター２が設置されたビルに赴いて点検を行う。
管理センター１は、号機毎に計画されている点検項目（点検管理項目）が全号機にわたってあらかじめ格納されている点検管理部１０と、各号機との通信を行うセンター通信部（点検項目通信手段）１１とを備えている。
【０００８】
また、各エレベーター２は、エレベーター２の動作を制御するエレベーター制御部２０と、管理センター１の点検管理部１０に格納された当該エレベーターの今回の点検項目が記憶されている点検項目記憶部２１と、実施漏れの有無を判定する実施漏れ判定部２２と、点検結果が記憶されている点検結果記憶部２３と、管理センター１との通信を行うエレベーター通信部（点検項目通信手段）２４とを備えている。
【０００９】
次に、この発明の実施の形態１による動作について説明する。
図２は、この発明の実施の形態１による動作を示すフローチャートである。
作業者は、顧客エレベーターを訪問する前に、管理センター１内で点検管理部１０と専用端末３とを接続し、管理・計画されている全顧客エレベーターの点検項目の中から、担当する顧客エレベーターに対する当月の点検項目をダウンロードする。
なお、点検管理部１０に点検項目が新たに格納された場合には、センター通信部１１および該当するエレベーター通信部２４を介して、点検項目記憶部２１に記憶される。したがって、管理センター１で管理する点検項目と、エレベーター２で記憶する点検項目とは常に同期が採れている状態となっている。この点検項目記憶部２１への記憶動作は、専用端末３へのダウンロードと同時に行われてもよい（ステップＳ２０１）。
【００１０】
ダウンロードが終了すると、作業者は専用端末３を持って顧客エレベーターを訪問する。
作業者は専用端末をエレベーター２のエレベーター制御部２０に接続し（ステップＳ２０２）、エレベーター２を点検作業用のメンテナンスモードに切り替える。通常運転の状態（通常モード）で何らかの異常が発見されると、警報が表示されたり、エレベーター通信部２４を介して管理センター１に通知される。点検作業では、正しく異常と判断されるか否かの点検も行われるので、この点検が行われるたびに警報が通知されてしまう。メンテナンスモードではエレベーター２が点検中であることを認識しているので警報通知などは通常のものとは異なる（ステップＳ２０３）。
【００１１】
作業者は、専用端末３に格納された当月の点検項目に基づいて作業を行うとともに、各点検項目に対する点検結果をそれぞれ専用端末３に入力する（ステップＳ２０４）。
全ての点検が終了し、作業者が専用端末３の点検終了ボタン（図示せず）を押すと、専用端末３は、エレベーター２に作業終了を通知するとともに、点検結果を出力する。
エレベーター制御部２０は、点検終了ボタンが押されたか否かを判定し（ステップＳ２０５）、点検終了ボタンが押されたと判定した場合（すなわち、ＹＥＳ）、出力された点検結果を点検結果記憶部２３に記憶させるとともに、実施漏れ判定部２２に当月作業項目と作業結果との照合を行わせる（ステップＳ２０６）。
一方、点検終了ボタンが押されていないと判定した場合（すなわち、ＮＯ）、点検終了ボタンが押されるまで待機する。
【００１２】
実施漏れ判定部２２は、点検項目記憶部２１に記憶された当月の点検項目と、点検結果記憶部２３に記憶された点検結果とを比較して、当月の点検項目に挙がっているにも関わらず点検結果が記憶されていない点検項目を検索し、検索結果に応じた判定結果をエレベーター制御部２０に通知する（ステップＳ２０６）。
ステップＳ２０６において、点検結果が記憶されていない点検項目が存在する場合（すなわち、ＹＥＳ）、実施漏れ判定部２２は実施漏れがあると判定し、エレベーター制御部２０は、点検が終了していないことを通知する警報を出力する。この警報は、エレベーター２のインジケータや専用端末３に表示させたりして、実施漏れがあることを作業者に通知するものである（ステップＳ２０９）。
【００１３】
一方、ステップＳ２０６において、点検結果が記憶されていない点検項目が存在しない場合（すなわち、ＮＯ）、実施漏れ判定部２２は実施漏れは無いと判定し、エレベーター制御部２０は、メンテナンスモードから通常モードに切り替えて（ステップＳ２０８）、図２の処理ルーチンを終了する。
なお、作業者が管理センター１に戻った時に、専用端末３を点検管理部１０に接続し、点検結果（結果管理項目）をアップロードすることにより、管理センター１の点検管理部１０を最新状態とする。
また、作業者は点検結果に基づいて、点検結果を顧客に報告するための作業報告書を作成する。
【００１４】
実施漏れがあることを通知する警報に作業者が気付き、専用端末３の未終了項目表示ボタン（図示せず）を押すと（ステップＳ２１０）、専用端末３はエレベーター制御部２０に未終了の点検項目（未終了項目）を通知するように指示する。エレベーター制御部２０は、未終了項目を専用端末３に通知し、専用端末３は未終了項目を全て表示し（ステップＳ２１１）、ステップＳ２０４に戻り、未終了項目が無くなるまで作業を行わせる。
一方、実施漏れがあることを通知する警報に作業者が気付づかず、すなわち、専用端末３の未終了項目表示ボタンが所定時間経過しても押されない場合（すなわち、ＮＯ）、エレベーター制御部２０は、エレベーター２の動作を停止させる（ステップＳ２１２）。
【００１５】
通常、エレベーター２の点検が終了すると、試運転を兼ねて、各階の乗り場に置かれた点検中の表示を取り除くために、点検したエレベーター２を各階に動作させている。
したがって、点検の未終了項目が存在するにも関わらずその存在に気付かなくても、最後にエレベーター２を動作させる時にエレベーター２が動作しないため、作業者は点検項目に未終了項目が存在することに気付くことができる。
また、未終了項目を全て点検して、ステップＳ２０７およびステップＳ２０８において実施漏れが無いと判定され、通常モードに切り替えられると、エレベーター制御部２０は停止制御していたエレベーター２を通常運転可能なように制御する。
このように、実施漏れがある場合にはエレベーター２を停止制御するので、確実に実施漏れを防止することができる。
【００１６】
なお、前述では専用端末３から管理センター１へのアップロードは、作業者が管理センター１に戻ってから行われるが、図２のステップＳ２０７における実施漏れが無いと判断された時点で、エレベーター通信部２４、センター通信部１１を介して、点検管理部１０にアップロードさせてもよい。このようなアップロード方法を採ることにより、アップロードにかかる手間を省くことができ、また、アップロードを忘れていても確実にアップロードが行われる。
【００１７】
実施の形態２．
上記実施の形態１では、点検が終了していないことを通知するために警報を出力したが、さらに作業者が常に携帯する携帯電話に自動的に電話させて点検が終了していないことを通知させてもよい。
図３は、この発明の実施の形態２のエレベーター点検項目実施漏れ防止装置を示すブロック構成図である。
図３において、管理センター１には点検作業を行う作業者名、作業者ＩＤ（管理番号）および作業者の携帯電話番号（携帯電話情報）が格納されている作業者情報管理部１２を備えている。
【００１８】
次に、この発明の実施の形態２による動作について説明する。
点検項目に実施漏れが存在する場合、エレベーター制御部２０は、点検が終了していないことを通知する警報を出力する。また、点検未終了の情報と担当の作業者ＩＤとを、エレベーター通信部（電話通信手段）２４を介して管理センター１のセンター通信部（電話通信手段）１１に通知する。
センター通信部１１は、作業者ＩＤをキーにして、作業者情報管理部１２から当該エレベーターの作業者に該当する携帯電話番号を取得する。
点検管理部１０は、担当する作業者の携帯電話番号を取得すると、作業者が携帯する携帯電話４に電話をかける。
作業者と通話状態になると、センター通信部１１は、あらかじめ設定されている音声を流して作業者に実施漏れがあることを通知する。
【００１９】
このように、作業者の携帯電話４に自動的に電話をかけ、実施漏れがあることを通知するので、エレベーター２を強制的に停止させる前に、作業者にさらなる警報を通知させることができる。
なお、本実施の形態２では、作業者の携帯電話４に電話をかけて実施漏れを通知したが、センター通信部１１から携帯電話４にメールを送信して実施漏れを通知させてもよい。その場合、作業者情報管理部１２に携帯電話のメールアドレスを格納させ、センター通信部１１は、作業者ＩＤに対応するメールアドレスを取得してメールを送信する。
【００２０】
実施の形態３．
上記実施の形態１では、作業結果報告書を管理センター１に戻ってから作業者が作成すると述べたが、作業結果を自動的にアップロードさせたときに併せて作業報告書を自動作成させてもよい。
図４は、この発明の実施の形態３のエレベーター点検項目実施漏れ防止装置を示すブロック構成図である。
図４において、管理センター１は、作業報告書を自動作成する報告書作成部１３を備えている。
【００２１】
次に、この発明の実施の形態３による動作について説明する。
実施漏れが無く作業が終了したと判定され、エレベーター通信部２４から作業結果が送信されると、センター通信部１１は、点検管理部１０に対して作業結果をアップロードするとともに、作業結果を報告書作成部１３に出力する。
報告書作成部１３は、作業結果を所定形式のフォームに纏めて作業報告書として出力する。
この作業報告書は、プリントアウト、顧客への自動ＦＡＸ、顧客への自動メール送信等の手段で顧客に通知させてもよい。
このように、作業結果のアップロードに併せて、通常作成する作業報告書を自動作成するので、作業者の手間を省くことができる。
【００２２】
【発明の効果】
以上のように、この発明によれば、エレベーターに対する複数の点検項目を記憶する点検項目記憶手段と、各点検項目に対する各点検結果を入力する点検結果入力手段と、各点検結果を記憶する点検結果記憶手段と、各点検項目と各点検結果とを比較して、点検結果が入力されていない点検項目が存在する場合に実施漏れ有りと判定する実施漏れ判定手段と、実施漏れ有りと判定された場合にエレベーターの運転動作を禁止するエレベーター制御手段とを備えたので、実施漏れを防止することができ、エレベーターの品質を保つことのできるエレベーター点検項目実施漏れ防止装置が得られる効果がある。
【図面の簡単な説明】
【図１】この発明の実施の形態１のエレベーター点検項目実施漏れ防止装置を示すブロック構成図である。
【図２】この発明の実施の形態１の動作を示すフローチャートである。
【図３】この発明の実施の形態２のエレベーター点検項目実施漏れ防止装置を示すブロック構成図である。
【図４】この発明の実施の形態３のエレベーター点検項目実施漏れ防止装置を示すブロック構成図である。
【符号の説明】
１  管理センター、２  エレベーター、３  専用端末、４  携帯電話、１０  点検管理部、１１  センター通信部、１２  作業者情報管理部、１３  報告書作成部、２０  エレベーター制御部、２１  点検項目記憶部、２２  実施漏れ判定部、２３  点検結果記憶部、２４  エレベーター通信部。
【図１】
2004299902.tif 000003
【図２】
2004299902.tif 000004
【図３】
2004299902.tif 000005
【図４】
2004299902.tif 000006